(57)【特許請求の範囲】
【請求項１】
高圧系統の配電線に接続され当該配電線の電圧を制御する電圧制御機器を制御するローカル制御装置へ制御目標値を指令する集中電圧制御装置であって、
前記配電線の区間ごとに定められた高圧適正電圧範囲内に該区間の電圧を維持するよう前記制御目標値を決定する指令決定部と、
前記区間を単位として前記高圧適正電圧範囲を更新する適正電圧範囲更新部と、
時刻と前記配電線に接続される太陽光発電設備による発電量の推定値との対応を示す情報である発電量情報を保持する記憶部と、
を備え、
前記適正電圧範囲更新部は、前記記憶部に記憶されている前記発電量情報と現在の時刻とに基づいて前記高圧適正電圧範囲を更新することを特徴とする集中電圧制御装置。
【請求項２】
区間ごとの日射量の計測値に基づいて前記高圧適正電圧範囲を更新することを特徴とする請求項１に記載の集中電圧制御装置。
【請求項３】
前記区間ごとの天候に基づいて前記高圧適正電圧範囲を更新することを特徴とする請求項１に記載の集中電圧制御装置。
【請求項４】
前記区間ごとに前記高圧適正電圧範囲をあらかじめ定められた比に基づいて低圧系統の電圧範囲に換算した値である適正電圧範囲を表示する表示部、
を備えることを特徴とする請求項１から３いずれか１つに記載の集中電圧制御装置。
【請求項５】
前記表示部は、前記適正電圧範囲の値に応じて色付けされた前記配電線を示す画像を表示することを特徴とする請求項４に記載の集中電圧制御装置。
【請求項６】
前記表示部は、前記配電線の電圧に応じて色付けされた前記配電線を示す画像を表示することを特徴とする請求項５に記載の集中電圧制御装置。
【請求項７】
前記表示部は、前記配電線に接続される低圧系統の電圧に応じて色付けされた前記配電線を示す画像を表示することを特徴とする請求項５または６に記載の集中電圧制御装置。
【請求項８】
前記表示部は、前記配電線に接続される低圧系統の電圧が定められた電圧範囲から逸脱した前記区間を、電圧の逸脱が生じたことを示すあらかじめ定めた色で色付けされた前記配電線を示す画像を表示することを特徴とする請求項５から７のいずれか１つに記載の集中電圧制御装置。
【請求項９】
高圧系統の配電線に接続され当該配電線の電圧を制御する電圧制御機器を制御するローカル制御装置へ制御目標値を指令する集中電圧制御装置における集中電圧制御方法であって、
前記配電線の区間ごとに定められた高圧適正電圧範囲内に該区間の電圧を維持するよう前記制御目標値を決定する指令決定ステップと、
時刻と前記配電線に接続される太陽光発電設備による発電量の推定値との対応を示す情報である発電量情報を保持する記憶ステップと、
前記記憶ステップで記憶された前記発電量情報と現在の時刻とに基づいて前記高圧適正電圧範囲を更新する更新ステップと、
を含むことを特徴とする集中電圧制御方法。
【発明の詳細な説明】
【技術分野】
【０００１】
本発明は、配電系統の電圧を制御する集中電圧制御装置および集中電圧制御方法に関する。
【背景技術】
【０００２】
配電系統は、一般に高圧系統と低圧系統とから構成され、一般需要家の受電端はこの低圧系統に接続されている。電力事業者は、一般需要家の受電端の電圧を定められた電圧範囲に維持することが義務付けられている。一例として、１００Ｖの受電の場合、電圧を９５Ｖ〜１０７Ｖに維持することが義務付けられている。このため、電力事業者は、高圧系統に接続された電圧制御機器の制御量を調整することにより、一般需要家の受電端での電圧維持を図っている。なお、以下では、特に断らない限り、配電系統は高圧系統を指すものとする。
【０００３】
ＬＲＴ（Load  Ratio  Control  Transformer：負荷時タップ切替変圧器）、ＳＶＲ（Step  Voltage  Regulator：自動電圧調整器）などの変圧器型の電圧制御機器は、ＬＤＣ（Line  Drop  Compensator）制御に基づくタップ操作により負荷側の電圧を変化させることにより、負荷側の全地点の電圧を適正電圧範囲内に収めることを目的としている。ＬＤＣ制御では、電圧制御機器で計測した電圧および電流情報を元に、電流が大きいほど配電線末端の電圧が下がるという推定に基づいて、負荷側の全地点の電圧を適正電圧範囲内に収めるための妥当な負荷側電圧を算出する。ＬＤＣ制御では、配電系統の負荷分布が一様、すなわち、時間経過に伴って配電系統各点の電圧が同方向に変化することを前提としている。
【０００４】
しかし、近年、電気の使い方の多様化、分散型電源の普及により、配電系統の負荷分布が時間経過に伴って大きく変化するため、電圧制御装置で計測した電圧および電流情報だけでは配電系統全体の電圧状況を推定できなくなり、適正電圧の維持が困難となってきている。このため、例えば、下記特許文献１では、配電系統各点の電圧および電流の計測情報を、通信ネットワークを介して中央装置である集中電圧制御装置で一括把握し、集中電圧制御装置から電圧制御装置へ目標電圧を指令するシステムが開示されている。
【先行技術文献】
【特許文献】
【０００５】
【特許文献１】国際公開第２０１３／０６５１１４号
【発明の概要】
【発明が解決しようとする課題】
【０００６】
上記従来の技術によれば、集中電圧制御装置は、高圧系統における電圧に対する適正電圧範囲を決定し、高圧系統における電圧を適正電圧範囲に収めるにことより、一般需要家の受電端を定められた電圧範囲に維持するよう制御している。以下、一般需要家の受電端を需要家端ともいう。適正電圧範囲は、電力会社ごとまたは支店ごとに低圧系統での電圧降下を一定値として見積もり、この電圧降下を考慮した上で決定される。需要家端で９５Ｖ〜１０７Ｖの範囲すなわち１０１±６Ｖの範囲を維持する場合に、例えば、低圧系統での電圧降下を８Ｖと見積もると、高圧系統における適正電圧範囲は、低圧換算で１０３〜１０７Ｖとなる。この例では、電圧制御幅が約４％となる。
【０００７】
上記の例のように、一般に一律で低圧系統での電圧降下を考慮して高圧系統における適正電圧範囲が設定されるため、電圧制御幅が狭く極めて高精度な制御を行うことになる。このような高精度な制御を行うためには、配電設備への設備投資コストが大きくなることもある。一方で、太陽光発電設備が低圧系統に連系されることも増えており、低圧系統では逆に電圧上昇も起こり得る状況となっている。したがって、低圧系統における電圧上昇も考慮して高圧系統における適正電圧範囲が設定されることが望ましい。また、低圧系統における電圧降下は実際には需要家ごとに異なる。このため、上記のように一律に電圧降下を見積もると電圧降下の過見積もりとなる場合もある。
【０００８】
本発明は、上記に鑑みてなされたものであって、適正電圧範囲の設定の自由度を高めることができる集中電圧制御装置を得ることを目的とする。
【課題を解決するための手段】
【０００９】
上述した課題を解決し、目的を達成するために、本発明は、高圧系統の配電線に接続され当該配電線の電圧を制御する電圧制御機器を制御するローカル制御装置へ制御目標値を指令する集中電圧制御装置であって、配電線の区間ごとに定められた高圧適正電圧範囲内に該区間の電圧を維持するよう制御目標値を決定する指令決定部を備える。また、集中電圧制御装置は、区間を単位として高圧適正電圧範囲を更新する適正電圧範囲更新部と、時刻と配電線に接続される太陽光発電設備による発電量の推定値との対応を示す情報である発電量情報を保持する記憶部と、を備える。適正電圧範囲更新部は、記憶部に記憶されている発電量情報と現在の時刻とに基づいて高圧適正電圧範囲を更新する。
【発明の効果】
【００１０】
本発明によれば、適正電圧範囲の設定の自由度を高めることができるという効果を奏する。
【図面の簡単な説明】
【００１１】
【図１】実施の形態の配電系統電圧制御システムの構成の一例を示した図
【図２】集中電圧制御装置の内部構成の一例を示した図
【図３】集中電圧制御装置として機能する計算機システムの構成例を示す図
【図４】低圧系統の負荷および発電機の接続例を示す図
【図５】適正電圧範囲を説明するための図
【図６】適正電圧範囲の変更する単位である区間の一例を示す図
【図７】表示部に表示された配電系統図の一例を示す模式図
【図８】電圧上下限値をどのような形式で表示するかの選択を促す画面の一例を示す図
【図９】適正電圧範囲の中間値の表示画面の一例を示す図
【図１０】図９の表示例において設定されている適正電圧範囲の上下限値および中間値の一例を示す図
【図１１】適正電圧範囲の上限値および下限値の入力を受け付ける画面の一例を示す図
【図１２】集中電圧制御装置における集中電圧制御処理にかかる全体処理手順の一例を示すフローチャート
【図１３】集中電圧制御処理手順の一例を示すフローチャート
【図１４】図１３のステップＳ１２の処理の詳細を説明するためのフローチャート
【図１５】日射量の時間変化の一例を示す図
【図１６】時間帯と適正電圧範囲の対応の一例を示す図
【図１７】高圧系統の電圧の現況の表示例を示す図
【発明を実施するための形態】
【００１２】
以下に、本発明の実施の形態にかかる集中電圧制御装置および集中電圧制御方法を図面に基づいて詳細に説明する。なお、この実施の形態によりこの発明が限定されるものではない。
【００１３】
実施の形態．
図１は、本発明にかかる実施の形態の配電系統電圧制御システムの構成の一例を示した図である。図１において、電圧制御機器１は例えば変電所に設置された配電用変圧器としてのＬＲＴである。電圧制御機器１にはローカル電圧制御装置１１が接続されており、ローカル電圧制御装置１１は電圧制御機器１を制御する。電圧制御装置であるローカル電圧制御装置１１は、例えば電圧制御機器１と一体的にまたは併設することができる。ローカル電圧制御装置１１は、電圧制御機器１の制御量を調整することにより、具体的にはタップ位置を調整することにより、電圧制御機器１を制御する。また、ローカル電圧制御装置１１は、通信機能を有し、通信ネットワーク７に接続されている。
【００１４】
電圧制御機器１の二次側には母線２が接続されている。母線２には２本の配電線４−１，４−２が並列に接続されている。配電線４−１，４−２は、高圧系統の配電線である。図１では、２本の配電線４−１，４−２が接続される例を示したが、母線２に接続される配電線の数は、２本に限定されず、何本でもよい。
【００１５】
配電線４−１は、一端が遮断器３−１を介して母線２に接続されている。配電線４−１上の複数箇所には、配電線４−１の電圧および潮流を計測する電圧潮流計測装置１０がそれぞれ設置されている。なお、図１では、配電線４−１に電圧潮流計測装置１０が複数設置される例を示しているが、電圧潮流計測装置１０は１つであってもよい。電圧潮流計測装置１０は、配電線４−１に接続され、接続箇所における電圧および潮流を計測する。電圧潮流計測装置１０は通信機能を有し、通信ネットワーク７に接続されている。電圧潮流計測装置１０は、計測により得られた計測値を計測情報として、通信ネットワーク７を介して例えば定期的に集中電圧制御装置８に送信する。集中電圧制御装置８は、対象とする系統範囲について目標とする電圧分布および目標となる電圧分布になる各電圧制御機器の動作状態を決め、各電圧制御機器に指令値を与える。なお、集中電圧制御装置８は、対象とする系統範囲を所管する営業所または制御所などに設置することができる。
【００１６】
また、配電線４−１上には、電圧降下補償用のＳＶＲである電圧制御機器５が接続されている。この電圧制御機器５には、電圧制御機器５を制御するローカル電圧制御装置１５が接続されている。ローカル電圧制御装置１５は、例えば電圧制御機器５と一体的にまたは併設することができる。ローカル電圧制御装置１５は、電圧制御機器５の制御量を調整することにより、具体的にはタップ位置を調整することにより、電圧制御機器５を制御する。また、ローカル電圧制御装置１５は、通信機能を有し、通信ネットワーク７に接続されている。
【００１７】
また、配電線４−１上には、静止型無効電力補償装置（ＳＶＣ：Static  Var  Compensator）である電圧制御機器６が接続されている。この電圧制御機器６には、電圧制御機器６を制御するローカル電圧制御装置１６が接続されている。ローカル電圧制御装置１６は、例えば電圧制御機器６と一体的にまたは併設することができる。ローカル電圧制御装置１６は、電圧制御機器６の制御量を調整することにより、具体的には無効電力出力を調整することにより、電圧制御機器６を制御する。また、ローカル電圧制御装置１６は、通信機能を有し、通信ネットワーク７に接続されている。
【００１８】
配電線４−２は、一端が遮断器３−２を介して母線２に接続されている。配電線４−２上の複数個所には、配電線４−１と同様に、配電線４−２の電圧および潮流を計測する電圧潮流計測装置１０がそれぞれ設置されている。
【００１９】
配電線４−１，４−２は高圧系統の配電線であり、配電線４−１，４−２にはそれぞれ柱上変圧器などの変圧器を介して低圧系統を構成する低圧配電線が接続されている。低圧配電線には負荷９が接続される。図１では、変圧器の図示を省略している。さらに太陽光発電装置などである発電機１７が接続される。なお、図１では、負荷９および発電機１７のうちの一部を図示しており、配電線４−１，４−２に接続される負荷９および発電機１７の数はいくつであってもよい。また、負荷９および発電機１７以外に、低圧配電線に蓄電池などが接続されていてもよい。ただし、本実施の形態は、低圧系統に分散型電源が含まれていない場合でも適用することができる。なお、以下では、分散型電源として例えば太陽光発電装置を例に説明する。また、配電系統の電圧制御とは、高圧系統の電圧制御を意味する。この配電系統は、電圧制御機器１，５，６、ローカル電圧制御装置１１，１５，１６、母線２、遮断器３−１，３−２、配電線４−１，４−２、および電圧潮流計測装置１０を備えて構成される。
【００２０】
なお、電圧制御機器の設置台数は、図１で図示した例に限定されない。また、電圧制御機器は、図１に例示したＬＲＴ，ＳＶＲ，ＳＶＣ等の他、例えば、ＳｈＲ分路リアクトル（Shunt  Reactor：ＳｈＲ）、無効電力調整機能付のＰＣＳ（Power  Conditioning  System：パワーコンディショナ）などを構成に応じて設けることができる。また、図１では、集中電圧制御装置８により制御される電圧制御機器を図示しているが、これらの電圧制御機器以外に、集中電圧制御装置８により制御されない電圧制御機器が配電線４−１，４−２に接続されていてもよい。また、図１の例では、集中電圧制御装置８により制御されない電圧制御機器としてＬＲＴ，ＳＶＲ，ＳＶＣの３種類を図示しているが、これらの３種類全てが集中電圧制御装置８により制御されていなくてもよく、ＬＲＴ，ＳＶＲ，ＳＶＣのうちの少なくとも１つが集中電圧制御装置８により制御されていればよい。
【００２１】
集中電圧制御装置８は、通信ネットワーク７を介して、ローカル電圧制御装置１１，１５，１６および電圧潮流計測装置１０とそれぞれ接続されている。通信ネットワーク７は、例えば専用のネットワークであり、配電系統を監視制御することを目的として配設されている。集中電圧制御装置８は、電圧潮流計測装置１０から送信された計測情報に基づき、各ローカル電圧制御装置が制御する目標となる指令値を第１の周期である集中制御周期で決定し、通信ネットワーク７を介して各ローカル電圧制御装置に対してそれぞれ個別に指令する。集中制御周期は、例えば１時間周期とすることができる。集中電圧制御装置８は、電圧制御機器を制御するローカル電圧制御装置に対して、指令値として電圧範囲を規定する電圧上限値および電圧下限値（以下、電圧上下限値ともいう。）を指令する。
【００２２】
変圧器型の電圧制御機器を制御する各ローカル電圧制御装置は、集中電圧制御装置８からの電圧上下限値の指令、すなわち電圧上下限値指令に基づき、当該電圧上下限値の間に電圧を維持するように制御対象である電圧制御機器を制御する。各ローカル電圧制御装置は、集中電圧制御装置８からの電圧上下限値の指令を受けるごとに、電圧上限値および電圧下限値を更新し設定する。例えば、ローカル電圧制御装置１１は、集中電圧制御装置８から指令された電圧上下限値に基づき、当該電圧上下限値が適用される集中制御周期の期間内においては、電圧制御機器１の二次側の電圧が当該電圧上下限値の間内に収まるように電圧制御機器１の制御量すなわちタップ位置の変更量を集中制御周期よりも短い第２の周期であるローカル制御周期で調整する。なお、本実施の形態では、集中電圧制御装置８が変圧器型の電圧制御機器を制御する各ローカル電圧制御装置へ電圧上下限値を指令する例を説明するが、制御目標値および不感帯を指令してもよい。また、集中電圧制御装置８が変圧器型の電圧制御機器を制御する各ローカル電圧制御装置へタップ位置を指令してもよい。
【００２３】
また、変圧器型の電圧制御機器がローカル電圧制御装置によりＬＤＣ制御により制御されてもよい。ＬＤＣ制御とは、電圧制御機器で計測した電圧／電流情報を元に、電流が大きいほど配電線末端の電圧が下がるという推定に基づいて、負荷側の全地点の電圧を適正範囲内に収めるための妥当な負荷側電圧を算出するものである。集中電圧制御装置８は、ＬＤＣ制御をローカル電圧制御装置に対しては、ＬＤＣ制御に用いるためのパラメータ、例えば制御の目標値と不感帯とを指示するようにしてもよい。
【００２４】
無効電力調整型の電圧制御機器を制御する各ローカル電圧制御装置は、集中電圧制御装置８から指令された電圧上下限値に基づいて、電圧が電圧上下限値に収まるように電圧制御機器が出力する無効電力を決定し無効電力調整型の電圧制御機器へ指示する。無効電力調整型の電圧制御機器は、ローカル電圧制御装置から指示された無効電力を発生させるとともに、例えば数秒から数十秒周期の短周期の電圧変動を除去するように動作する。または、集中電圧制御装置８が、無効電力調整型の電圧制御機器の制御目標となる無効電力を決定し、この無効電力を無効電力調整型の電圧制御機器へ指令してもよい。
【００２５】
集中電圧制御装置８は上述したように、高圧系統の配電線に接続され当該配電線の電圧を制御する電圧制御機器を制御するローカル制御装置へ制御目標値を指令する。以下の例では、この制御目標値は電圧上下限値であるとして説明するが、制御目標値は電圧上下限値に限定されず、ローカル制御装置における制御の目標を決定する情報であればよい。図２は、集中電圧制御装置８の内部構成の一例を示した図である。図２に示すように、集中電圧制御装置８は、制御部２０と、制御部２０に接続された記憶部２７と、制御部２０、記憶部２７、および通信ネットワーク７に接続されて各ローカル電圧制御装置と通信する送受信部３０と、表示部２８と、入力部２９とを備えている。
【００２６】
制御部２０は、負荷発電量予測部２１、負荷発電量予測値補正部２２、適正電圧範囲更新部２３、最適電圧分布決定部２４、電圧上下限値決定部２５および表示制御部２６を備えている。負荷発電量予測部２１は、翌日などの将来の配電系統の負荷／発電量分布を例えば集中制御周期ごとに予測する。負荷／発電量とは、純粋な負荷量から発電量を際し引いた量に相当する。負荷／発電量が正の値の場合に負荷量であり、負の値の場合に発電量となる。なお、負荷／発電量分布を予測する方法の一例を後述するが、負荷／発電量分布の予測方法としてはどのような方法を用いてもよい。負荷発電量予測値補正部２２は、集中制御周期の期間内における負荷／発電量分布の予測値を、その直前の集中制御周期の期間内における負荷／発電量分布の実績値と当該期間内における予測値との比較結果に基づいて補正する。ここで、負荷／発電量分布の実績値は、計測情報に基づいて算出される。
【００２７】
適正電圧範囲更新部２３は、後述する区間ごとに、適正電圧範囲を更新する。適正電圧範囲更新部２３は、例えば、入力部２９が適正電圧範囲の更新後の値の入力を受け付けた場合、この情報に基づいて適正電圧範囲を更新する。適正電圧範囲は、高圧系統の区間ごとに設定される集中電圧制御における高圧系統の電圧の制御範囲である。また、以下、本実施の形態では高圧系統の電圧の制御範囲を低圧換算した値を適正電圧範囲と呼び、高圧系統の電圧の制御範囲そのもの、すなわち適正電圧範囲を高圧換算した範囲を高圧適正電圧範囲と呼ぶ。言い換えると、適正電圧範囲は、高圧適正電圧範囲をあらかじめ定められた比に基づいて低圧系統の電圧範囲に換算した値である。なお、低圧換算とは、後述するように、６６００Ｖを１０５Ｖに置き換える換算である。適正電圧範囲更新部２３は、適正電圧範囲を変更した場合、変更した適正電圧範囲に対応させて高圧適正電圧範囲も変更する。すなわち、適正電圧範囲更新部２３は、区間を単位として高圧適正電圧範囲を更新する。したがって、入力部２９が受け付けた適正電圧範囲の更新後の値は、高圧適正電圧範囲の更新後の値を示す情報である。なお、適正電圧範囲の詳細は後述する。適正電圧範囲の初期値は、需要家端の電圧が定められた範囲に維持されるように定められる。以下の説明では、需要家端の電圧を９５〜１０７Ｖに維持する場合を例に説明する。例えば、適正電圧範囲の初期値は、低圧系統における電圧降下を８Ｖと見積もり、９５〜１０７Ｖの範囲から低い方から８Ｖ分を除いた範囲、すなわち１０３〜１０７Ｖと定めておく。適正電圧範囲の初期値は、記憶部２７にあらかじめ格納されている。
【００２８】
適正電圧範囲の初期値は、配電線４−１，４−２内で一律に設定されてもよいし、区間ごとに異なっていてもよい。適正電圧範囲の初期値の設定方法については後述する。
【００２９】
最適電圧分布決定部２４は、補正された負荷／発電量分布の予測値に基づいて潮流計算を行うとともに、無効電力調整型の電圧制御機器の指令可能範囲を考慮して、配電系統の電圧分布を評価する評価関数の値を最良にする最良解を探索することにより、当該集中制御周期の期間内の最適電圧分布および各電圧制御機器の最適制御量を決定する。なお、最適電圧分布とは、制約条件を満たしかつ評価関数が最適となる系統各点での電圧分布である。最適制御量とは、最適電圧分布が実現されるように各電圧制御機器に指令される制御量である。
【００３０】
電圧上下限値決定部２５は、決定された最適電圧分布に基づき、当該集中制御周期の期間内における各ローカル電圧制御装置の制御目標電圧範囲の上限および下限である電圧上下限値を決定し、通信ネットワーク７を介してこれを各ローカル電圧制御装置に指令する。なお、電圧上下限値決定部２５による電圧上下限値を決定する処理の詳細については後述するが、概略は次の通りである。
【００３１】
まず、電圧上下限値決定部２５は、ローカル電圧制御装置ごとに予め割り当てられた電圧制御責任範囲に関する情報を記憶部２７から取得する。ここで、電圧制御責任範囲は、配電線４−１または４−２上の範囲または区間であって、当該範囲内における電圧の制御について、当該範囲を割り当てられたローカル電圧制御装置またはこれに接続された電圧制御機器がその責任を負う範囲である。
【００３２】
無効電力調整型の電圧制御機器は、当該電圧制御機器の電源側、すなわち配電用変圧器がある側である上流側に変圧器型の電圧制御機器が存在する場合には、この変圧器型の電圧制御機器の変圧器の負荷側すなわち下流側までの範囲、および、当該電圧制御機器の負荷側の範囲を電圧制御責任範囲とし、負荷側にさらに別の電圧制御機器が存在する場合は、当該別の電圧制御機器の電源側までを電圧制御責任範囲に含める。変圧器型の電圧制御機器は、例えば当該変圧器の負荷側を電圧制御責任範囲とするが、負荷側に別の電圧制御機器が存在する場合は、当該別の電圧制御機器の電源側までをその電圧制御責任範囲とする。なお、電圧制御責任範囲の設定方法は上記の例に限定されない。
【００３３】
また、上述したように、区間ごとに高圧適正電圧範囲が予め設定されている。電圧制御機器の最適電圧は、その電圧制御責任範囲の区間に設定された高圧適正電圧範囲内に入るように求められる。最適電圧と適正電圧の下限値との差分を電圧下限余裕量と呼び、適正電圧の上限値と最適電圧との差分を電圧上限余裕量と呼ぶ。
【００３４】
電圧上下限値決定部２５は、最適電圧分布決定部２４で求めた最適電圧と不感帯幅に基づいて電圧上下限値を決定する。最適電圧に不感帯幅の半分を加えたものを電圧上限値とし、最適電圧から不感帯幅の半分を引いたものを電圧下限値とする。
【００３５】
以上述べたように、最適電圧分布決定部２４および電圧上下限値決定部２５は、配電線の区間ごとに定められた高圧適正電圧範囲内に該区間の電圧を維持するよう制御目標値を決定する制御指令決定部である。
【００３６】
なお、上述した通り、電圧上下限値を指令する替わりに、求めた最適電圧を制御目標値として指令するようにしてもよいし、制御目標値および不感帯を指定するようにしてもよい。この場合には、集中電圧制御装置８は、電圧上下限値決定部２５を備えなくてもよく、最適電圧分布決定部２４が、制御目標値、または制御目標値および不感帯を、送受信部３０を介してローカル電圧制御装置へ指令する。
【００３７】
表示制御部２６は、表示部２８に表示するための画像データを生成するための情報を記憶部２７から読み出し、読み出した情報に基づいて画像データを生成して表示部２８へ出力する。また、表示制御部２６は、入力部２９が受け付けた入力と記憶部２７に記憶されている、画像データを生成するための情報とに基づいて、表示部２８に表示する画像データを生成して表示部２８へ出力する。なお、記憶部２７に格納されている画像データを生成するための情報は、配電線を地理的に投影した図である配電系統図を生成するための配電線の位置情報、後述する区間ごとの適正電圧範囲の上下限値および適正電圧範囲の中間値などを含む。
【００３８】
送受信部３０は、通信ネットワーク７を介して各ローカル電圧制御装置と通信を行う通信部である。送受信部３０は、電圧上下限値決定部２５から電圧上下限値を受け取ると、対応するローカル電圧制御装置へ該電圧上下限値を送信する。また、送受信部３０は、通信ネットワーク７を介して電圧潮流計測装置１０から計測情報を受信し、受信した計測情報を記憶部２７に格納する。
【００３９】
表示部２８は、表示制御部２６から入力された画像データに基づいて、配電系統を地理的な位置に対応して表示したものである配電系統図、適正電圧範囲の上下限値を地理的な位置に対応して表示したもの、などを画面に表示する。
【００４０】
入力部２９は、操作者により入力を受け付け、入力により指示された情報を制御部２０へ渡す。入力部２９は、後述するように、例えば、表示部２８に表示する画面、すなわち画像を切替える指示、適正電圧範囲の変更指示を受け付ける。また、入力部２９は、区間ごとに、適正電圧範囲の更新後の値、すなわち高圧適正電圧範囲の更新後の値を示す情報の入力を受け付ける。
【００４１】
集中電圧制御装置８は、具体的には、例えば計算機システム（コンピュータ）である。この計算機システム上で集中電圧制御プログラムが実行されることにより、計算機システムが集中電圧制御装置８として機能する。図３は、本実施の形態の集中電圧制御装置８として機能する計算機システムの構成例を示す図である。図３に示すように、この計算機システムは、制御部１０１と入力部１０２と記憶部１０３と表示部１０４と通信部１０５とを備え、これらはシステムバス１０６を介して接続されている。
【００４２】
図３において、制御部１０１は、例えば、ＣＰＵ（Central  Processing  Unit）であり、本実施の形態の集中電圧制御プログラムを実行する。入力部１０２は、キーボード、マウス、タッチパネルなどで構成され、計算機システムのユーザーが、各種情報の入力を行うために使用する。記憶部１０３は、ＲＡＭ（Random  Access  Memory），ＲＯＭ（Read  Only  Memory）などの各種メモリおよびハードディスクなどのストレージデバイスを含み、上記制御部１０１が実行すべきプログラム，処理の過程で得られた必要なデータ，などを記憶する。また、記憶部１０３は、プログラムの一時的な記憶領域としても使用される。表示部１０４は、ＬＣＤ（液晶表示パネル）などで構成され、計算機システムのユーザーに対して各種画面を表示する。通信部１０５は、通信ネットワーク７との接続の機能を有し、通信ネットワーク７を介して、電圧潮流計測装置１０との間の送受信処理を実施する。なお、図３は、一例であり、計算機システムの構成は図３の例に限定されない。
【００４３】
ここで、本実施の形態の集中電圧制御プログラムが実行可能な状態になるまでの計算機システムの動作例について説明する。上述した構成をとる計算機システムには、例えば、ＣＤ（Compact  Disc）−ＲＯＭ／ＤＶＤ（Digital  Versatile  Disc）−ＲＯＭドライブ（図示せず）にセットされたＣＤ−ＲＯＭ／ＤＶＤ−ＲＯＭから、集中電圧制御プログラムが記憶部１０３にインストールされる。そして、集中電圧制御プログラムの実行時に、記憶部１０３から読み出された集中電圧制御プログラムが記憶部１０３の所定の場所に格納される。この状態で、制御部１０１は、記憶部１０３に格納されたプログラムに従って、本実施の形態の集中電圧制御処理を実行する。
【００４４】
なお、本実施例においては、ＣＤ−ＲＯＭ／ＤＶＤ−ＲＯＭを記録媒体として、集中電圧制御処理を記述したプログラムすなわち集中電圧制御プログラムを提供しているが、これに限らず、計算機システムの構成、提供するプログラムの容量などに応じて、例えば、通信部１０５を経由してインターネットなどの伝送媒体により提供されたプログラムを用いることとしてもよい。
【００４５】
図２に示した制御部２０は、図３に示した制御部１０１に相当する。図２に示した負荷発電量予測部２１、負荷発電量予測値補正部２２、適正電圧範囲更新部２３、最適電圧分布決定部２４、電圧上下限値決定部２５および表示制御部２６は、図３に示した制御部１０１に含まれる。図２の記憶部２７は、図３に示した記憶部１０３の一部である。図２に示した通信部２６は、図３に示した送受信部１０５に相当する。図２に示した入力部２９は、図３に示した入力部１０２に相当し、図２に示した出力部２８は、図３に示した表示部１０４に相当する。
【００４６】
次に、本実施の形態の適正電圧範囲の設定方法について説明する。配電線４−１，４−２は変圧器を介して低圧系統が接続され、低圧系統には負荷９、発電機１７などが接続される。上述した通り、電気事業者は、低圧系統内の需要家端の電圧を、定められた電圧範囲に維持するよう義務づけられている。図４は、低圧系統の負荷および発電機の接続例を示す図である。図５は、本実施の形態の適正電圧範囲を説明するための図である。図４では、左側の需要家では、柱上変圧器などである変圧器１８を介して負荷９が接続され、右側の需要家では変圧器１８を介して発電機１７が接続されている。なお、図４では、１つの変圧器１８に接続される負荷９または発電機１７は１つであるが、１つの変圧器１８に接続される負荷９または発電機１７の数は１つに限定されない。また、１つの変圧器１８に負荷９および発電機１７が接続されていてもよい。
【００４７】
図４に示すように、需要家端の電圧をＶLとし、この需要家端に対応する高圧系統の電圧をＶHとする。図５の右図は、ＶLの電圧範囲を示し、図５の左図は、ＶLの電圧範囲に対応するＶHの電圧範囲を示し、図５の中央図は、低圧換算したＶHの電圧範囲を示している。ここで、低圧換算とは、６６００Ｖを１０５Ｖに置き換える換算であり、具体的には、高圧系統の電圧に１０５／６６００を乗算することである。ここで、需要家端の電圧ＶLに対して定められた電圧範囲は、図５に示すように９５〜１０７Ｖであるとする。図５に示すように９５〜１０７Ｖを高圧換算した範囲が、図５の左図に示す電圧範囲２００となる。高圧換算は、上述した低圧換算と逆の処理である。図５の中央図に示す電圧範囲２０１は、電圧範囲２００を低圧換算した値である。
【００４８】
一般に、集中電圧制御では、入力として高圧系統の各点の電圧を維持する範囲すなわち適正電圧範囲を定めておく。この適正電圧範囲は、高圧系統の電圧に対する範囲であるが、本実施の形態では、この適正電圧範囲を、低圧換算した値で表示するとともに、適正電圧範囲を、操作者から低圧換算した値で入力を受け付けるように構成する。これは、上述したように、操作者が低圧系統内での電圧降下または電圧上昇を考慮して適正電圧範囲を変更する際に、適正電圧範囲が低圧換算した値であった方が、電圧降下または電圧上昇を反映しやすいためである。
【００４９】
図５の説明に戻り、図５の中央図に示す電圧範囲２０１は、９５〜１０７Ｖとなるが、電圧範囲２０１を適正電圧範囲として設定して集中電圧制御を実施すると、低圧系統における電圧降下および電圧上昇が考慮されないことになる。このため、例えば、図５に示したように、電圧範囲２０１から第１の範囲２０２を除いた第２の範囲２０３を適正電圧範囲の初期値として設定する。図５の例では、第１の範囲２０２として、低圧系統における電圧降下の分を設定した例を示しており、第１の範囲２０２は、電圧降下側に設けられる。例えば、低圧系統における電圧降下の分を８Ｖとすると、第１の範囲２０２は８Ｖである。図５の中央図のＶmaxは適正電圧範囲の上限値を示し、Ｖminは、適正電圧範囲の下限値を示す。図５の左図のＶHmaxはＶmaxの高圧換算値であり、ＶHminはＶminの高圧換算値である。集中電圧制御装置８は、設定された適正電圧範囲を高圧換算して、集中電圧制御の各点に設定する適正電圧範囲として用いる。高圧換算された適正電圧範囲を、以降、適宜高圧適正電圧範囲とよぶ。
【００５０】
図５に示した例では、低圧系統における電圧降下を考慮したが、実際には、図４に示すように、発電機１７が低圧系統に接続されている場合もある。また、このような場合に、図５の第２の範囲２０３として示したように、電圧の高い側に偏って適正電圧範囲を設定していると、集中電圧制御により電圧が高めに制御される。このため、発電機１７の発電量によっては、接続される需要家の受電端では１０７Ｖを超えることも考えられる。また、実際には第２の範囲２０３より広い範囲を制約条件として集中電圧制御を行ってもよい状況にもかかわらず、第２の範囲２０３が狭すぎるために、集中電圧制御において最適解が求められない、すなわち電圧が高圧適正電圧範囲から逸脱する箇所が生じるといった事態が発生することも考えられる。
【００５１】
このため、本実施の形態では、適正電圧範囲を変更可能なように構成する。具体的には、適正電圧範囲の初期値を記憶部２７にあらかじめ記憶させておき、初期状態では適正電圧範囲を記憶部２７に記憶されている初期値に設定する。その後、操作者の入力に応じてまたは変更の契機となる条件を満たした場合に自動的に、適正電圧範囲を変更する。適正電圧範囲の初期値としては、例えば、上述したように、電圧降下を考慮した値を設定しておく。適正電圧範囲の初期値は、配電線４−１，４−２内で一律の値を設定してもよいし、一律でなくてもよい。例えば、柱上変圧器などの変圧器に設定されるタップ位置に応じて適正電圧範囲の初期値を定めておいてもよい。配電系統の電圧は、配電系統に接続された負荷９により下流にいくに従って降下するため、変圧器のタップ位置は、この電圧降下を考慮して設定されることがある。例えば、最上流に位置する変圧器は、６６００Ｖを１０５Ｖに変換するようにタップ位置が設定されているとする。下流では、高圧系統の電圧が降下するため、例えば６６００Ｖを１０７Ｖに変換するようタップ位置が設定される。このように、標準的な負荷を考慮して電圧降下を見積もり、見積もった電圧降下に応じて変圧器にタップ位置をあらかじめ設定しておく。例えば、タップ位置が６６００Ｖを１０５Ｖに変換するように設定されている場合は、適正電圧範囲の初期値を１０３〜１０７Ｖに設定し、タップ位置が６６００Ｖを１０５Ｖに変換するように設定されている場合は、適正電圧範囲の初期値を９９〜１０７Ｖに設定しておく。
【００５２】
適正電圧範囲の変更は、配電線内の区間の単位であってもよく、配電線単位であってもよい。図６は、適正電圧範囲の変更する単位である区間の一例を示す図である。図６は、配電線４−１内の区間ごとに適正電圧範囲を変更な例を示しており、図６の例では区間Ａ１〜Ａ５の適正電圧範囲を個別に変更可能である。区間Ａ１〜Ａ５は、柱上変圧器単位であってもよいし、変電所単位であってもよい。柱上変圧器単位とは、例えば柱上変圧器から次の柱上変圧器までの範囲であってもよいし、各柱上変圧器を中間の位置となるように定められた区間であってもよい。
【００５３】
また、適正電圧範囲の変更方法の例としては、以下が挙げられる。
（ア）操作者からの入力により適正電圧範囲を変更する。
（イ）太陽光発電設備の発電量の予測値に基づいて適正電圧範囲を変更する。
（ウ）時間帯により適正電圧範囲を変更する。
（エ）電圧違反が生じた区間のまたは電圧違反が生じると予測される区間の適正電圧範囲を変更する。
【００５４】
上記（ア）から（エ）の例のうち、まず（ア）の方法の具体例について説明する。本実施の形態の集中電圧制御装置８は、表示部２８に配電系統図を表示可能である。図７は、表示部２８に表示された配電系統図の一例を示す模式図である。図７には、各配電線の位置が地理的に表示されている。図７の白抜きの四角は、制御所、すなわち集中電圧制御装置８が設置されている場所を示す。図７の左下の適正電圧上下限値表示と記載された矩形は、マウスまたはキーボードなどにより押下可能なボタンを示している。操作者がこのボタンを押下すると、入力部２９は、適正電圧上下限値を表示する要求が入力されたことを検知し、適正電圧上下限値を表示する要求を受け付ける。入力部２９は、適正電圧上下限値を表示する要求を受け付けると、表示制御部２６に適正電圧上下限値を表示する要求を受け付けたことを通知する。
【００５５】
表示制御部２６は、入力部２９から適正電圧上下限値を表示する要求を受け付けたことを通知されると、電圧上下限値をどのような形式で表示するかの選択を促す画面に対応する画像データを生成して表示部２８へ出力する。表示部２８は、入力された画像データに基づいて電圧上下限値をどのような形式で表示するかの選択を促す画面を表示する。図８は、電圧上下限値をどのような形式で表示するかの選択を促す画面の一例を示す図である。図８の例では、図７の左下部分を拡大して示しており、適正電圧上下限値表示と記載されたボタンを押下すると右側の上限値表示、中間値表示および下限値表示と記載された矩形を表示する。これらの矩形は、押下されることにより該当する要求が入力されたことを示すボタンである。なお、適正電圧範囲の中間値とは、適正電圧範囲の上限値と下限値との平均値となる値である。
【００５６】
例えば、図８に示した上限値表示のボタンが押下されると、入力部２９は上限値、すなわち適正電圧範囲の上限値を表示することが要求されたことを検知し、上限値を表示する要求を受け付ける。入力部２９は、適正電圧範囲の上限値を表示する要求を受け付けると、表示制御部２６に適正電圧範囲の上限値を表示する要求を受け付けたことを通知する。表示制御部２６は、入力部２９から適正電圧範囲の上限値を表示する要求を受け付けたことを通知されると、適正電圧範囲の上限値を表示するための画像データを生成して表示部２８へ出力する。表示部２８は、入力された画像データに基づいて適正電圧範囲の上限値を表示する。中間値表示または下限値表示のボタンの押下により、中間値表示または下限値表示の表示が要求された場合も、同様の手順により、適正電圧範囲の中間値または適正電圧範囲の下限値が表示部２８により表示される。なお、区間ごとの適正電圧範囲の中間値、上限値および下限値は、記憶部２７に適正電圧範囲の現在の中間値、上限値および下限値として記憶されている。上述した通り、適正電圧範囲の初期値も記憶部２７に記憶されているが、初期値とは別に適正電圧範囲の現在の中間値、上限値および下限値も記憶部２７に記憶される。適正電圧範囲の現在の中間値、上限値および下限値は、初期状態では、適正電圧範囲の初期値に対応した値が格納される。適正電圧範囲が変更された場合には、記憶部２７に記憶されている適正電圧範囲の現在の中間値、上限値および下限値も更新される。なお、図８は、電圧上下限値をどのような形式で表示するかの選択を促す画面の一例であり、実際の画面は図８の例に限定されず、電圧上下限値をどのような形式で表示するかの選択の受付方法も上述した方法に限定されない。
【００５７】
図９は、適正電圧範囲の中間値の表示画面の一例を示す図である。図９は、図７に示した配電系統図において、各配電線の区間ごとに設定されている適正電圧の中間値を表示したものである。図９では、実線、破線、一点鎖線といった線種により、適正電圧の中間値を示しているが、実際には、表示部２８は、色分けにより適正電圧の上限値を示す。例えば、表示される画面では、実際には、破線は赤であり、実線は黄色であり、一点鎖線は青である。例えば、配電線の色が赤、黄色、青の順に、それぞれ適正電圧の中間値が、それぞれ第１の値、第２の値、第３の値であることを示す。なお、第１の値＞第２の値＞第３の値である。図９の例では、このように、３つの中間値の値を色分けにより表示した例を示している。適正電圧範囲の上限値、下限値についても同様に色分けにより表示することができる。また、適正電圧範囲が初期値の状態を黄色で表示し、初期値より高く設定されている区間を赤で表示し、初期値より低く設定された区間を青で表示するようにしてもよい。なお、適正電圧範囲の上下限値および中間値の色分けの方法は上述の例に限定されない。例えば、４種類以上の値を色分けにより表示できるようにしてもよい。また、色分けの替わりに、異なる線種を用いる、線の太さを異ならせるなどにより適正電圧範囲の上下限値を表示してもよい。また、適正電圧範囲の上下限値の値自体を配電線の各区間に対応する箇所に表示するようにしてもよい。
【００５８】
図１０は、図９の表示例において設定されている適正電圧範囲の上下限値および中間値の一例を示す図である。図１０は、図９に示した位置３１０，３１１，３１２に対応する適正電圧範囲の上下限値および中間値を示している。また、図９に示した画面において、入力部２９の一部であるマウスにより、位置３１０がクリックされると図１０の３１０の下に示した適正電圧範囲の上下限値および中間値を示す図が表示されるようにしてもよい。同様に、位置３１１，３１２がクリックされると図１０の位置３１１，３１２の下に示した適正電圧範囲の上下限値および中間値を示す図がそれぞれ表示されるようにしてもよい。以上のように、表示部２８は、区間ごとに適正電圧範囲の値に応じて色付けされた配電線を示す画像を表示する。
【００５９】
また、上述したようにタップ位置の初期値が柱上変圧器ごとに異なる場合、タップ位置の初期値に対応して適正電圧範囲の上下限値が設定されることがある。この場合、初期状態において、区間により適正電圧範囲の上下限値が異なることになる。したがって、初期状態からの変更を認識可能なように、初期状態に設定されている区間は適正電圧範囲の上下限値の実際の値によらず、同一色で表示するようにしてもよい。例えば、適正電圧範囲の中間値を表示する場合、初期値に設定されている区間は黄色で表示し、中間値が初期値より高い値に設定されている区間は赤で表示し、中間値が初期値より低い値に設定されている区間は青で表示する。
【００６０】
上述したように、適正電圧範囲の上下限値または中間値を色分けにより表示し、また、画面をクリックすることで、各区間に設定されている適正電圧範囲の上下限値または中間値を表示することで、操作者は設定されている適正電圧範囲を視認しやすくなる。また、同様に、図９に示した位置３１０，３１１，３１２がクリックまたは押下されることで、適正電圧範囲を変更する画面に遷移するようにしてもよい。具体的には、表示制御部２６が、入力部２９から図９に示した位置３１０がクリックされたことを通知されると、位置３１０に対応する図１０の画面を表示する。そして、表示制御部２６は、図１０の画面において、上限値を示す値である１０７Ｖの１０７を編集可能な画面となるよう表示部２８へ指示する。そして、１０７の値が入力部２９の一部であるキーボードなどにより変更されると、入力部２９が、変更された値を受け付け、受け付けた値を、対応する区間を示す情報とともに適正電圧範囲更新部２３へ通知する。適正電圧範囲更新部２３は、記憶部２７に格納されている適正電圧範囲のうち通知された区間の現在の上下限値を、変更された値に更新する。適正電圧範囲更新部２３は、変更された値に基づいて中間値を算出し、記憶部２７に格納されている適正電圧範囲の現在の中間値を更新する。適正電圧範囲更新部２３は、変更後の適正電圧範囲の現在の上下限値を高圧換算し、該当する区間の高圧適正電圧範囲を前述の高圧換算した値、すなわち変更された適正電圧範囲に対応する値に変更する。
【００６１】
また、位置３１０，３１１，３１２をクリックまたは押下すると、図１１に示した画面を表示することにより、適正電圧範囲の上限値および下限値の入力を受け付けてもよい。図１１は、適正電圧範囲の上限値および下限値の入力を受け付ける画面の一例を示す図である。図１１の下線で示した部分は数字を入力可能なエリアであり、入力部２９の一部であるキーボードなどによりこの部分に数字が入力されると、入力部２９は入力された数字を、対応する区間を示す情報とともに適正電圧範囲更新部２３へ通知する。適正電圧範囲更新部２３の処理は上記の例と同様である。
【００６２】
また、図９の左下部に示したように、配電系統図表示と記載されたボタンを設け、配電系統図の表示へ遷移することを選択できるようにしてもよい。
【００６３】
操作者は、適正電圧範囲の上限値および下限値の変更をする際に、例えば、太陽光発電設備の有無、時間帯などを考慮して、電圧上昇が生じることが予測される区間では、適正電圧範囲の上限値を初期値より低い値に設定する。また、電圧上昇が生じることが予測される区間では、適正電圧範囲の下限値も初期値より低い値に設定してもよい。また、操作者は、低圧系統の配電線の長さなどに応じて、低圧系統における電圧降下が、適正電圧範囲の初期値の算出の際に仮定した電圧降下より少ないと予想される場合には、適正電圧範囲の下限値を初期値より低い値に設定することにより適正電圧範囲を広げてもよい。また、集中電圧制御装置８は、太陽光発電設備の設置個所を図９の画面上に表示して、太陽光発電設備の設置個所が操作者により視覚的に把握できるようにしてもよい。
【００６４】
図１２は、本実施の形態の集中電圧制御装置８における集中電圧制御処理にかかる全体処理手順の一例を示すフローチャートである。まず、適正電圧範囲更新部２３は、適正電圧範囲を初期値に設定する（ステップＳ１）。具体的には、適正電圧範囲更新部２３は、記憶部２７に格納されている適正電圧範囲の初期値を読み出し、読み出した値を区間ごとに記憶部２７に現在の適正電圧範囲の上下限値として格納する。また、適正電圧範囲更新部２３は、区間ごとに、現在の適正電圧範囲の上下限値に基づいて中間値を算出し、中間値を現在の適正電圧範囲の中間値として格納する。また、適正電圧範囲更新部２３は、適正電圧範囲の上下限値を高圧換算して高圧適正電圧範囲の上下限値を記憶部２７に格納する。
【００６５】
次に、適正電圧範囲更新部２３は、適正電圧上下限値、すなわち適正電圧範囲の上限値および下限値の変更があったか否かを判断する（ステップＳ２）。ステップＳ２は、適正電圧範囲の上限値および下限値の少なくとも一方の変更があった場合に、適正電圧上下限値の変更があったと判断する。具体的には、適正電圧範囲更新部２３は、入力部２９から適正電圧範囲の上下限値の変更を受け付けたことを通知されたか否かに基づいて、適正電圧上下限値の変更があったか否かを判断する。
【００６６】
適正電圧上下限値の変更があった場合（ステップＳ２  Ｙｅｓ）、適正電圧範囲更新部２３は、適正電圧上下限値を変更する（ステップＳ３）。具体的には、適正電圧範囲更新部２３は、上述したように記憶部２７に格納されている適正電圧範囲のうち通知された区間の現在の上下限値を、変更された値に更新する。適正電圧範囲更新部２３は、変更された値に基づいて中間値を算出し、記憶部２７に格納されている適正電圧範囲の現在の中間値を更新する。また、適正電圧範囲更新部２３は、変更後の適正電圧範囲の現在の上下限値を高圧換算し、該当する区間の高圧適正電圧範囲を前述の高圧換算した値、すなわち変更された適正電圧範囲に対応する値に変更する。
【００６７】
そして、負荷発電量予測値補正部２２は、電圧上下限値指令の生成処理の処理タイミングであるか否かを判断する（ステップＳ４）。具体的には、集中電圧制御周期ごとに電圧上下限値指令の生成処理を行う場合、負荷発電量予測値補正部２２は、前回電圧上下限値指令の生成処理を行ってから集中制御周期が経過したか否かを判断する。
【００６８】
電圧上下限値指令の生成処理の処理タイミングである場合（ステップＳ４  Ｙｅｓ）、負荷発電量予測値補正部２２、最適電圧分布決定部２４および電圧上下限決定部２５は、電圧上下限値指令の生成処理を実施し（ステップＳ５）、ステップＳ２へ戻る。
【００６９】
ステップＳ２で、適正電圧上下限値の変更がないと判断した場合（ステップＳ２  Ｎｏ）、ステップＳ４へ進む。ステップＳ４で、電圧上下限値指令の生成処理の処理タイミングでないと判断した場合（ステップＳ４  Ｎｏ）、ステップＳ２へ戻る。
【００７０】
図１３は、本実施の形態の集中電圧制御処理手順の一例を示すフローチャートである。本実施の形態では、１日ごとに、将来の配電系統の負荷／発電量分布を予測する。なお、ここでは、１日ごとに、将来の配電系統の負荷／発電量分布を予測する例を示すが、１日ごとの替わりに半日ごとまたは数日ごとなどであってもよく、将来の配電系統の負荷／発電量分布を予測する単位は１日ごとに限定されない。ここでは、１日ごとに将来の配電系統の負荷／発電量分布を予測するとし、図１３は、１日分の動作を示している。図１３に示すように、負荷発電量予測部２１は、記憶部２７に保存された配電系統各点の負荷発電量データから、翌日の例えば１時間ごとの配電系統の負荷／発電量分布と短周期変動を予測する（ステップＳ１０）。なお、負荷発電量予測部２１は、電圧潮流計測装置１０から受信した計測情報に基づいて、隣り合う計測点間で潮流の平均値の差分をとることなどにより、配電系統各点における負荷／発電量を求める。この配電系統各点における負荷／発電量を負荷発電量データとして記憶部２７に保存しておくとする。負荷発電量データは、計測情報に基づいて適宜更新される。負荷発電量データは、計測情報に基づいて算出されなくてもよく、例えば、配電線のどの部分にどの設備および負荷が配置されるかを示す設備データ、各負荷に対応する契約電力、太陽光発電設備のパネル容量などに基づいて算出されたモデルに基づいて決定されてもよい。
【００７１】
この際、具体的には、例えば、負荷発電量予測部２１は、負荷量と発電量を分離して予測するため、まず、記憶部２７に保存されている負荷発電量データのうち快晴時間帯の負荷発電量データのみを使用し、これから理論発電量（太陽光発電定格容量、太陽光パネル設置角、緯度、日時、予想気温、および発電効率から算出）を除いて純粋な負荷量である実績負荷量を算出する。
【００７２】
負荷発電量予測部２１は、実績負荷量を例えば複数日分集め、同一曜日（平日／休日区分）、同一時間帯の負荷量と気温との相関を求めておく。この相関は、回帰分析などにより求めた関係式、またはテーブルなどにより保持しておく。そして、負荷発電量予測部２１は、この相関と翌日の予想気温から翌日１時間ごとの配電系統各点の負荷量を予測する。また、翌日の発電量については、翌日の天候予測に基づいた理論発電量とし、負荷発電量予測部２１は、予測負荷量から予測発電量を差し引いて、翌日１時間ごとの配電系統各点の負荷発電量データを作成する。
【００７３】
次に、負荷発電量予測値補正部２２は、将来１時間の配電系統の負荷／発電量の予測値を補正する（ステップＳ１１）。具体的には、負荷発電量予測値補正部２２は、過去１時間の配電系統各点の負荷／発電量の平均値について、過去１時間に受信した計測情報に基づいて算出される実績値と予測値とを比較してその比率を求め、この比率を将来１時間の負荷／発電量の予測値に乗ずることにより、将来１時間の系統各点の負荷／発電量の予測値を補正する。これにより、予測値の精度が向上することが期待される。
【００７４】
次に、最適電圧分布決定部２４は、ステップＳ１１で作成した将来１時間の配電系統各点の補正後の負荷／発電量の予測値に基づき、将来１時間の配電系統の最適電圧分布を決定する（ステップＳ１２）。なお、この１時間は集中制御周期を示している。この処理の詳細は、図１４を用いて後述する。なお、ステップＳ１１の負荷／発電量の予測値を補正する処理を省略し、最適電圧分布決定部２４が、ステップＳ１０で作成した翌日の配電系統各点の負荷／発電量の予測値に基づいて、将来１時間の配電系統の最適電圧分布を決定するようにしてもよい。
【００７５】
次に、電圧上下限値決定部２５は、配電系統の最適電圧分布に基づき、将来１時間の各ローカル電圧制御装置の電圧上限値および電圧下限値を算出する（ステップＳ１３）。
【００７６】
次に、電圧上下限値決定部２５は、電圧制御機器を制御する各ローカル電圧制御装置に対して電圧上限値および電圧下限値を指令し（ステップＳ１４）、ステップＳ１１へ戻る。上述した処理のうち、ステップＳ１１からステップＳ１４の処理が、図１２で述べた電圧上下限値指令生成処理に相当する。
【００７７】
次に、図１３のステップＳ１２の処理の詳細について説明する。図１４は、図１３のステップＳ１２の処理の詳細を説明するためのフローチャートであり、将来１時間の配電系統の最適電圧分布を計算するためのフローを表している。
【００７８】
まず、最適電圧分布決定部２４は、各電圧制御機器における制御限界（変圧器型の電圧制御機器の場合はタップ上下限）と電圧の短周期変動を考慮した電圧余裕に対する閾値とを設定する（ステップＳ２１）。電圧余裕に対する閾値は任意の値を設定することができる。また、最適電圧分布決定部２４は、各点の高圧適正電圧範囲の上下限値を記憶部２７から読み出す。
【００７９】
次に、最適電圧分布決定部２４は、各電圧制御機器の制御量を初期設定する（ステップＳ２２）。この際、最適電圧分布決定部２４は、変圧器型の電圧制御機器の場合はタップ位置を例えば１時間前の最適電圧分布計算時の算出値とする。ただし、前回算出値がない場合は、最適電圧分布決定部２４は、タップ位置をニュートラル値に設定する。
【００８０】
次に、最適電圧分布決定部２４は、配電系統各点の負荷／発電量分布の予測に基づき、設定された各電圧制御機器の制御量での潮流計算を行い、配電系統各点の電圧を算出する（ステップＳ２３）。
【００８１】
次に、最適電圧分布決定部２４は、潮流計算の結果に基づき配電系統の評価を行う（ステップＳ２４）。具体的には、最適電圧分布決定部２４は、配電系統の評価項目について設定された評価関数すなわち目的関数の値を評価することにより、配電系統の評価を行う。ここで、第一優先の評価項目は、配電系統各点での電圧の高圧適正電圧範囲（高圧適正電圧上限値および高圧適正電圧下限値）からの違反量すなわち逸脱量である。すなわち、最適電圧分布は、第一に、配電系統各点での電圧の適正電圧範囲からの違反量の総和が最小となるように決定される。
【００８２】
また、第二優先の評価項目は、例えば配電系統各点での電圧余裕、すなわち高圧適正電圧上下限値までの余裕量である。配電系統各点での電圧余裕が小さいと、僅かな電圧変動で適正電圧範囲から逸脱して頻繁に電圧制御機器が動作してしまう。従って、電圧余裕の総和が大きいほど高評価とする。最小値をとる場合に最適とする評価関数を使用する場合には、以下のように定義する電圧余裕減少量を用いて電圧余裕を評価する。電圧余裕減少量は、電圧余裕が十分に大きい場合にゼロになり、電圧余裕が小さくなるほど大きくなるように、以下のようにして計算する。
電圧余裕減少量＝閾値−電圧余裕    電圧余裕  ＜    閾値  の場合
電圧余裕減少量＝０                電圧余裕  ＞＝  閾値  の場合
…（１）
閾値は、ステップＳ２１で設定した値であり、例えば、適正電圧範囲の幅の２０％程度に定める。
【００８３】
電圧余裕＜閾値の場合で、電圧値が適正電圧範囲内である場合は、適正電圧範囲からの逸脱すなわち電圧違反とはならないものの、電圧余裕違反、すなわち短周期変動分の電圧余裕を確保できでいない状態となるため、電圧余裕＞＝閾値であることが望ましい。
【００８４】
第三優先の評価項目は、電圧制御機器の制御量のその初期設定値からの変化量の総和とすることができる。ここで、電圧制御機器の制御量のその初期設定値からの変化量は、変圧器型の電圧制御機器の場合は、タップ位置の初期設定タップ位置からの差である。当該変化量の総和を小さくすることにより、電圧制御機器の動作回数の低減につながる。
【００８５】
さらに、第四優先の評価項目は、配電系統全体の送電ロス（有効電力ロス＋無効電力ロス）とすることができる。送電ロスが小さいほど高評価とする。なお、送電ロスは、有効電力ロスが大半を占め、電圧が高いほどロスが小さくなるが、その分、第二優先の配電系統各点での上限値側の電圧余裕が小さくなるため、配電系統各点の電圧上下限値にかなりの余裕がある場合に評価することの意味がある評価項目である。
【００８６】
評価関数は、第一優先の評価項目について設定してもよいが、第一優先から第四優先のうち２つ以上の項目について設定することもできる。この場合、各々の評価関数に重みを付けて和をとったものを全体の評価関数とする。さらに、配電系統に応じて高次の優先項目についても評価関数に含めることができる。評価関数は、例えば最小値をとるときに最も最適化（高評価）されるように構成することができる。
【００８７】
例えば、第一優先〜第四優先の全評価項目に基づいて評価関数を設定する場合、以下の式（２）のように評価関数を定めることができる。Wp，W1，W2，W3は、重み付け係数である。
評価関数値
＝  配電系統各点の電圧上下限違反量の総和  ×  Wp
＋  変圧器ごとの電圧制御責任範囲内の各点の
上限側電圧余裕減少量の最大値  ×  W1
＋  変圧器ごとの電圧制御責任範囲内の各点の
下限側電圧余裕減少量の最大値  ×  W1
＋  前回指令時からの変圧器目標電圧変更量  ×  W2
＋  送電ロス  ×  W3                              …（２）
【００８８】
図１４の説明に戻り、最適電圧分布決定部２４は、所定回数の探索を行ったか否かを判定し（ステップＳ２５）、所定回数の探索を行った場合には（ステップＳ２５  Ｙｅｓ）、処理を終了し、所定回数の探索を行っていない場合には（ステップＳ２５  Ｎｏ）、ステップＳ２６の処理に進む。
【００８９】
次に、ステップＳ２６では、最適電圧分布決定部２４は、各電圧制御機器の制御量を例えば１単位変更して、ステップＳ２３と同様に配電系統各点の電圧算出、およびステップＳ２４と同様に配電系統の評価を行い、これを全ての電圧制御機器について実施して評価結果を比較し、最も評価が改善するよう電圧制御機器の制御量を設定変更する（ステップＳ２６）。制御量を１単位変更するとは、例えばタップを１段上げるまたは下げることである。最適化のアルゴリズムについては例えば特開２０１０−２５０５９９号公報等に開示されている方法を用いることができる。ステップＳ２６の実施後は、ステップＳ２５へ戻る。
【００９０】
以上のようにして、所定回数の探索の後、最適電圧分布決定部２４は、評価関数の値を最良にする最良解として、将来１時間の配電系統の最適電圧分布および各電圧制御機器の最適制御量を決定することができる。
【００９１】
次に、図１３のＳ１３の処理の詳細について説明する。まず、変圧器型の電圧制御機器については、例えば、次のように、電圧制御責任範囲を設定して、電圧制御責任範囲内における、最適電圧と高圧適正電圧範囲の下限値ＶHminとの差の絶対値である電圧下限余裕量のうちの最小の値（ｌｍ＿ｍｉｎ）、および最適電圧と高圧適正電圧の上限値ＶHmaxとの差の絶対値である電圧上限余裕量のうちの最小の値（ｕｍ＿ｍｉｎ）に基づいて、電圧上下限値を決定することができる。
【００９２】
具体的には、変圧器型の電圧制御機器は、当該電圧制御機器の電源側（上流側）に変圧器型の電圧制御機器が存在する場合には、この変圧器型の電圧制御機器の変圧器の負荷側（下流側）までの範囲、および、当該電圧制御機器の負荷側の範囲を電圧制御責任範囲とし、負荷側にさらに別の電圧制御機器が存在する場合は、当該別の電圧制御機器の電源側までを電圧制御責任範囲に含める。
【００９３】
例えば、ローカル電圧制御装置１１の電圧制御責任範囲は、電圧制御機器１の負荷側から電圧制御機器５までの範囲であり、配電線４−１に接続された低圧系統（図１では図示せず）を含む。ローカル電圧制御装置１１の電圧制御責任範囲のうちの最適電圧と高圧適正電圧の下限値ＶHminとの差の絶対値である電圧下限余裕量のうちの最小の値をｌｍ＿ｍｉｎとし、最適電圧と高圧適正電圧の上限値ＶHmaxとの差の絶対値である電圧上限余裕量のうちの最小の値をｕｍ＿ｍｉｎとする。このとき、電圧上下限値決定部２５は、電圧制御機器６の最適電圧の値にｕｍ＿ｍｉｎを加えたものを制御目標電圧範囲の電圧上限値とし、電圧制御機器１の最適電圧の値からｌｍ＿ｍｉｎを差し引いたものを制御目標電圧範囲の電圧下限値とする。
【００９４】
このように、電圧制御機器１の設置箇所近傍における電圧上下限余裕量のみならず、その電圧制御責任範囲内の各点における電圧上下限余裕量も考慮して決定されているので、ローカル電圧制御装置１１自体は制御目標電圧範囲内で電圧制御機器５をローカル制御するにもかかわらず、広域の電圧制御責任範囲で適正電圧の維持が可能となる。
【００９５】
なお、以上述べた集中電圧制御処理は一例であり、集中電圧制御処理の具体的処理内容は上記の例に限定されない。例えば、計測情報を用いずに、設備データに基づいて負荷発電量を予測してもよい。
【００９６】
次に、適正電圧範囲の変更方法のうち（ア）の例以外の例ついて説明する。上述した適正電圧範囲の変更方法のうち（イ）の例について説明する。（イ）の例は、上述したように、太陽光発電設備の発電量の予測値に基づいて適正電圧範囲を変更する方法である。発電機１７のうち太陽光発電設備の発電量は、日射量に応じて変化する。本実施の形態では、日射量すなわち太陽光発電設備の発電量に基づいて適正電圧範囲を変更する。具体的には、次のような処理を実施する。
【００９７】
図１５は、日射量の時間変化の一例を示す図である。日射量は、天候、季節などによっても変化するが、晴天の場合には、時刻に依存して変化する。図１５に示すような日射量の時刻に依存した変化を仮定することにより、発電量の時刻による変化を仮定することができる。図１５では、時刻に対する日射量を示しているが太陽光発電設備による発電量が日射量に正比例すると仮定すれば、太陽光発電設備による発電量の時間変化の形状は日射量の時間変化と同様となる。図１５に例示したような日射量の時間変化を一日の日射量の最大値Ｓmaxを１として正規化する。時刻の関数である正規化した日射量をＳL（ｔ）とする。なお、ｔは時刻を示す。太陽光発電設備による発電量が日射量に正比例すると仮定すれば、発電量の時間変化を正規化した、すなわち一日の太陽光発電設備による発電量の最大値を１として正規化したものをＰS（ｔ）とすると、ＰS（ｔ）＝ＳL（ｔ）と表すことができる。
【００９８】
本実施の形態では、ＳL（ｔ）すなわちＰS（ｔ）をあらかじめ定めておき、ＳL（ｔ）を時刻と日射量との対応を示すテーブル、または時刻の関数として記憶部２７に記憶させておく。このテーブルまたは関数は、時刻と配電線に接続される太陽光発電設備による発電量の推定値との対応を示す情報である発電量情報である。そして、適正電圧範囲更新部２３が、記憶部２７から読み出したＳL（ｔ）を示すテーブルまたは関数と、現在の時刻ｔnとに基づいて、現在の時刻ｔnの正規化された発電量ＳL（ｔn）を求め、正規化された発電量に基づいて適正電圧範囲を変更する。具体的には、太陽光発電設備による発電量が最大値となる場合の電圧上昇ＶSを、区間ごとに定めておく。そして、適正電圧範囲更新部２３は、適正電圧範囲の上限値Ｖmaxおよび適正電圧範囲の下限値Ｖminを、以下の式（３）、（４）に従って更新する。
Ｖmax＝Ｖmax−ＶS×ＳL（ｔn）      …（３）
Ｖmin＝Ｖmin−ＶS×ＳL（ｔn）      …（４）
【００９９】
なお、上記の例では、適正電圧範囲の上限値および下限値を更新したが、適正電圧範囲の上限値と適正電圧範囲の下限値とのうちいずれか一方を更新するようにしてもよい。
【０１００】
さらに、配電系統内に日射量を計測している箇所があることも考えられる。このような場合には、集中電圧制御装置８は、計測された日射量に基づいて、計測した地点に対応する区間の適正電圧範囲を補正してもよい。この場合、集中電圧制御装置８は、計測された日射量Ｓmと計測位置を取得し、対応する区間の日射量Ｓmを上記のＳL（ｔ）の算出の際に仮定した一日の日射量の最大値Ｓmaxで割った値、すなわちＳm／Ｓmaxを求める。そして、集中電圧制御装置８は、計測位置に対応する区間の適正電圧範囲を、上記の式（３）、（４）におけるＳL（ｔn）の替わりにＳm／Ｓmaxを用いて更新する。なお、集中電圧制御装置８は、計測された日射量および計測位置を、通信ネットワーク７経由で取得してもよいし、オフラインで取得してもよい。
【０１０１】
また、集中電圧制御装置８は、各区間に対応する天候を示すデータである天候データを取得して、天候データに基づいて、各区間の適正電圧範囲を補正してもよい。天候データは、気象情報を提供する機関または会社などから入手するようにしてもよいし、操作者が入力してもよい。例えば、天候が晴れ、曇り、雨の場合に対応して、それぞれＳL（ｔn）に対して乗算する値を定めておき、天候に応じて、式（３）、（４）の右辺のＳL（ｔn）にこの値を乗算する。例えば、晴れ、曇り、雨の順に、乗算する値を１，０．５，０とそれぞれ定めておく。
【０１０２】
次に、上述した適正電圧範囲の変更方法のうち（ウ）の例について説明する。（ウ）の例は、上述したように、時間帯により適正電圧範囲を変更する。上記の（イ）の方法も、（ウ）の一部であると考えることもできる。すなわち上記（イ）の例では、計算式により適正電圧範囲を更新したが、太陽光発電設備による発電量に応じてあらかじめ時間帯ごとに適正電圧範囲を定めておくこともできる。また、発電量だけでなく負荷量についても、時間変化する可能性があるため、これらの変化を考慮した低圧系統での電圧上昇および電圧降下を時間帯ごとにモデル化し、時間帯ごとに適正電圧範囲を定めておいてもよい。
【０１０３】
図１６は、時間帯と適正電圧範囲の対応の一例を示す図である。図１６では、１日のうちの時間帯、すなわち時刻を３つに分け、時刻に応じて適正電圧範囲の上下限値が格納された上下限値データを記憶部２７にあらかじめ格納しておく。図１６の例では、データ＃１、データ＃２、データ＃３の３つの上下限値データを記憶部２７にあらかじめ格納しておく。また、図１６に示す対応を記憶部２７に保持しておく。適正電圧範囲更新部２３は、現在の時刻と、図１６に示した対応とに基づいて上下限値データをデータ＃１、データ＃２、データ＃３のうちから選択し、選択した上下限値データを適正電圧範囲の上下限値として設定する。
【０１０４】
次に、上述した適正電圧範囲の変更方法のうち（エ）の例について説明する。（エ）の方法は、電圧違反が生じた区間のまたは電圧違反が生じると予測される区間の適正電圧範囲を変更する方法である。ここでいう電圧違反とは、高圧系統の電圧の推定値または計測値が高圧適正電圧範囲から逸脱すること、低圧系統の電圧の計測値が適正電圧範囲から逸脱すること、および需要家端の電圧が定められた電圧範囲を逸脱することを含む。
【０１０５】
まず、高圧系統の電圧の推定値または計測値が高圧適正電圧範囲から逸脱する場合について説明する。電圧違反が生じた区間の高圧系統の電圧の推定値は、例えば、上述した集中電圧制御処理において算出された最適電圧である。高圧系統の電圧の計測値は、電圧潮流計測装置１０により計測された電圧である。適正電圧範囲更新部２３は、高圧系統の電圧の推定値または計測値電圧が高圧適正電圧範囲から逸脱したか否かを判断し、逸脱した場合には、対応する区間の適正電圧範囲を変更する。また、適正電圧範囲更新部２３は、高圧適正電圧範囲を変更後の適正電圧範囲に基づいて更新する。高圧適正電圧範囲の上限値を上回る逸脱が発生した場合には、適正電圧範囲更新部２３は、適正電圧範囲の上限値を上昇させるよう適正電圧範囲を更新する。適正電圧範囲の上限値を上昇させる方法は、どのような方法でもよいが、例えば、あらかじめ定めておいた固定値を適正電圧範囲の上限値に加算する方法を用いることができる。高圧適正電圧範囲の下限値を下回る逸脱が発生した場合には、適正電圧範囲更新部２３は、適正電圧範囲の下限値を低下させるよう適正電圧範囲を更新する。ただし、上限値の更新および下限値の更新は、９５Ｖ〜１０７Ｖの範囲内で行われる。すなわち、適正電圧範囲の上限値を上昇させると１０７Ｖを超える場合には適正電圧範囲の上限値の変更は行わない。適正電圧範囲の上限値を低下させると９５Ｖを下回る場合には適正電圧範囲の下限値の変更は行わない。
【０１０６】
次に、低圧系統の電圧の計測値が適正電圧範囲から逸脱する例について説明する。例えば、柱上変圧器などの変圧器が低圧側の電圧を測定している場合に、この電圧を、集中電圧制御装置８が取得可能であるとする。適正電圧範囲更新部２３は、取得した電圧が適正電圧範囲から逸脱している場合に、対応する区間の適正電圧範囲を変更する。適正電圧範囲の上下限値の変更方法は、上記の高圧系統の電圧の推定値または計測値が高圧適正電圧範囲から逸脱した場合と同様である。
【０１０７】
次に、需要家端の電圧が定められた電圧範囲を逸脱する例について説明する。太陽光発電設備は、需要家端の電圧が定められた電圧範囲を超えると、発電を停止するように構成されている場合がある。このような場合、発電が停止することにより、定められた電圧範囲を逸脱したことを需要家が認識し、電気事業者へ通知することがある。集中電圧制御装置８の操作者が、このような通知に基づいて、定められた電圧範囲を逸脱が生じた箇所に対応する区間で電圧違反が生じたことを示す情報を入力部２９により入力する。入力部２９は入力された情報を適正電圧範囲更新部２３に通知し、適正電圧範囲更新部２３は適正電圧範囲を変更する。例えば、太陽光発電設備の発電が停止した場合には、定められた電圧範囲の上限を超えたと考えられるため、適正電圧範囲更新部２３は、適正電圧範囲を低下側にずらすように適正電圧範囲を変更する。適正電圧範囲を低下側にずらす方法としては、適正電圧範囲の上限値を低下させる方法を用いてもよいし、適正電圧範囲の上限値および下限値を低下させる方法を用いてもよい。
【０１０８】
また、集中電圧制御装置８は、高圧系統の電圧の予測値または計測値を高圧系統の電圧の現況として表示部２８に表示するようにしてもよい。すなわち、表示部２８は、配電線の電圧に応じて色付けされた配電線を示す画像を表示してもよい。これにより、上述した電圧違反が生じている区間、電圧違反が生じる可能性のある区間を把握することができ、上述した（ア）の方法により操作者が適正電圧範囲を変更する場合に、現況を考慮して適正電圧範囲を変更することができる。図１７は、高圧系統の電圧の現況の表示例を示す図である。また、集中電圧制御装置８は、低圧系統の電圧の予測値または計測値が得られる場合には、集中電圧制御装置８は、低圧系統の電圧の予測値または計測値である低圧系統の電圧を、低圧系統の電圧に応じて配電線を色付けすることにより表示してもよい。同様に、需要家端の電圧が定められた電圧範囲を超えたことが通知された区間を表示部２８に表示するようにしてもよい。
【０１０９】
また、電圧違反の生じた区間、すなわち需要家端の電圧が定められた電圧範囲を超えたことが通知された区間または高圧系統の電圧の予測値または計測値が高圧適正電圧範囲内にない区間がある場合、適正電圧範囲更新部２３は、表示制御部２６にアラーム表示することを指示し、表示制御部２６が表示部２８にアラーム表示を指示してもよい。また、電圧違反の生じた区間がある場合、適正電圧範囲更新部２３は、電圧違反が生じた区間を、図１７に示した電圧の現況の画面上に、または別の画面上に表示させるように表示制御部２６に指示してもよい。電圧違反が生じた区間の表示方法としては、電圧の逸脱が生じたことを示すあらかじめ定めた色で、該当する区間を色付けする方法、電圧の逸脱が生じたことを示すマークを該当する区間に表示する方法などがある。例えば、表示部２８は、電圧の逸脱が生じた区間を、電圧の逸脱が生じたことを示すあらかじめ定めた色で色付けした配電線を示す画像を表示する。
【０１１０】
また、集中電圧制御装置８は、電圧違反が生じたことを示す情報が得られた場合、この情報に基づいて、高圧系統の電圧と低圧系統とのうちの少なくとも一方の電圧の表示の際に、電圧値を変更して表示してもよい。例えば、太陽光発電設備の発電が停止したという通知が需要家からあり、操作者により電圧違反が生じたことを示す情報が入力された場合、高圧系統の電圧を計測値または予測値より一定値上昇させた値として表示してもよい。
【０１１１】
また、図１７の左下部に示したように、配電系統図表示、適正電圧上下限値表示と記載されたボタンをそれぞれ設け、配電系統図、適正電圧上下限値の表示へそれぞれ遷移することを選択できるようにしてもよい。
【０１１２】
以上のように、適正電圧範囲の変更方法は複数の方法が考えられるが、これらのうちの１つの方法を適用してもよいし、これらのうち２つ以上を組み合わせて適用してもよい。
【０１１３】
以上のように、本実施の形態では、集中電圧制御における入力となる適正電圧範囲を、区間ごとに変更可能とした。このため、適正電圧範囲の設定の自由度を高めることができる。これにより、太陽光発電設備の発電量、低圧系統における電圧降下の見積もりと実際の電圧降下との差異などが生じた場合でも、適切に適正電圧範囲を設定することができ、集中電圧制御を過度に高精度化することなく電圧違反を低減させることができる。
【０１１４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０１１５】
１，５，６  電圧制御機器、２  母線、３−１，３−２  遮断器、４−１，４−２  配電線、７  通信ネットワーク、８  集中電圧制御装置、９  負荷、１０  電圧潮流計測装置、１１，１５，１６  ローカル電圧制御装置、１７  発電機、２０  制御部、２１  負荷発電量予測部、２２  負荷発電量予測値補正部、２３  適正電圧範囲更新部、２４  最適電圧分布決定部、２５  電圧上下限値決定部、２６  表示制御部、２７  記憶部、２８  表示部、２９  入力部、３０  送受信部。
【図１】
0006440608.tif 000002
【図２】
0006440608.tif 000003
【図３】
0006440608.tif 000004
【図４】
0006440608.tif 000005
【図５】
0006440608.tif 000006
【図６】
0006440608.tif 000007
【図７】
0006440608.tif 000008
【図８】
0006440608.tif 000009
【図９】
0006440608.tif 000010
【図１０】
0006440608.tif 000011
【図１１】
0006440608.tif 000012
【図１２】
0006440608.tif 000013
【図１３】
0006440608.tif 000014
【図１４】
0006440608.tif 000015
【図１５】
0006440608.tif 000016
【図１６】
0006440608.tif 000017
【図１７】
0006440608.tif 000018